(57)【要約】      （修正有）【課題】光ディスク装置が停止状態から間欠動作に遷移する場合と、温度変化を検知した場合の学習処理動作において、動作終了後も稼動状態が続くことによる不要な電力消費を低減する。【解決手段】記録すべき信号を記録待機メモリ手段へ蓄積し、該記録待機メモリ手段から間欠的に信号を出力し、該信号に応動させて間欠的にスピンドルモータ制御回路と光ヘッド制御回路を動作させ光ディスクへの記録を実行する間欠動作機能と、スピンドルモータ制御回路と光ヘッド制御回路の適正な制御値を得る学習処理機能と、温度変化や光ディスクの状態により該学習処理の実行要否を判定する機能を有し、間欠動作を実行していない停止状態からユーザの記録開始要求により間欠動作に遷移する時、稼動状態とし、学習処理の実行要否を判定し、その結果学習処理が必要ないと判定された場合は待機状態へ遷移し、光ディスクへの記録を実行するタイミングで稼動状態とする。【選択図】  図２
2006179137.tif 000002
【特許請求の範囲】
【請求項１】
スピンドルモータ及びまたは光ヘッド部を駆動及び制御するための駆動制御手段と、
該駆動制御手段を間欠的に動作させ光ディスクへの記録を実行する間欠動作機能と、
任意の状態における該駆動制御手段の所定の制御値を得るための学習処理動作の実行要否判定及び該判定結果により学習処理動作を行う学習処理機能と、を有し、
所定の操作により記録開始され間欠動作に遷移する際に、該駆動制御手段を動作させて稼動状態として学習処理動作の実行要否を判定し、学習処理動作が必要ないと判定された場合は、該学習処理動作の実行要否を判定する動作終了後、該駆動制御手段の動作を止める待機状態へ遷移することを特徴とした光ディスク装置。
【請求項２】
スピンドルモータ及びまたは光ヘッド部を駆動及び制御するための駆動制御手段と、
該駆動制御手段を間欠的に動作させ光ディスクへの記録を実行する間欠動作機能と、
任意の状態における該駆動制御手段の所定の制御値を得るための学習処理動作の実行要否判定及び該判定結果により学習処理動作を行う学習処理機能と、を有し、
所定の操作により記録開始され間欠動作に遷移する際に、該駆動制御手段を動作させて稼動状態として学習処理動作の実行要否を判定し、学習処理動作が必要あると判定された場合は、学習処理動作終了後該駆動制御手段の動作を止める待機状態へ遷移することを特徴とした光ディスク装置。
【請求項３】
記録すべき信号を蓄積する記録待機メモリ手段と、
該記録待機メモリ手段から取り出した信号を光ディスクに記録するための信号処理手段と、
スピンドルモータ及びまたは光ヘッド部を駆動及び制御するための駆動制御手段と、
該駆動制御手段を間欠的に動作させ光ディスクへの記録を実行する間欠動作機能と、
任意の状態における該駆動制御手段の所定の制御値を得るための学習処理動作の実行要否判定及び該判定結果により学習処理動作を行う学習処理機能と、を有し、
所定の操作により記録開始され間欠動作に遷移する際に、該駆動制御手段を動作させて稼動状態として学習処理動作の実行要否を判定し、学習処理動作が必要ないと判定された場合は、該学習処理動作の実行要否を判定する動作の終了時点までに該待機メモリ手段に蓄積された記録すべき信号を該光ディスクへ記録した後、該駆動制御手段の動作を止める待機状態へ遷移することを特徴とした光ディスク装置。
【請求項４】
記録すべき信号を蓄積する記録待機メモリ手段と、
該記録待機メモリ手段から取り出した信号を光ディスクに記録するための信号処理手段と、スピンドルモータ及びまたは光ヘッド部を駆動及び制御するための駆動制御手段と、
該駆動制御手段を間欠的に動作させ光ディスクへの記録を実行する間欠動作機能と、
任意の状態における該駆動制御手段の所定の制御値を得るための学習処理動作の実行要否判定及び該判定結果により学習処理動作を行う学習処理機能と、を有し、
所定の操作により記録開始され間欠動作に遷移する際に、直ちに該駆動制御手段を動作させて稼動状態として学習処理動作の実行要否を判定し、学習処理動作が必要あると判定された場合は、学習処理動作終了時点までに該待機メモリ手段に蓄積された記録すべき信号を該光ディスクへ記録した後、該駆動制御手段の動作を止める待機状態へ遷移することを特徴とした光ディスク装置。
【請求項５】
スピンドルモータ及びまたは光ヘッド部を駆動及び制御するための駆動制御手段と、
該駆動制御手段を間欠的に動作させ光ディスクへの記録を実行する間欠動作機能と、
温度変化の状態における該駆動制御手段の所定の制御値を得るための学習処理動作の実行要否判定及び該判定結果により学習処理動作を行う学習処理機能と、を有し、
所定の操作により記録開始され間欠動作に遷移する際に、該駆動制御手段の動作を止めた待機状態にて温度変化の情報により学習処理動作の実行要否を判定し、学習処理動作が必要ないと判定された場合には、該待機状態を維持することを特徴とした光ディスク装置。
【請求項６】
スピンドルモータ及びまたは光ヘッド部を駆動及び制御するための駆動制御手段と、
該駆動制御手段を間欠的に動作させ光ディスクへの記録を実行する間欠動作機能と、
温度変化の状態における該駆動制御手段の所定の制御値を得るための学習処理動作の実行要否判定及び該判定結果により学習処理動作を行う学習処理機能と、を有し、
所定の操作により記録開始され間欠動作に遷移する際に、該駆動制御手段の動作を止めた待機状態にて温度変化の情報により学習処理動作の実行要否を判定し、学習処理動作が必要あると判定された場合には、該駆動制御手段を動作させる稼動状態とし、学習処理動作終了後該駆動制御手段の動作を止める待機状態へ遷移することを特徴とした光ディスク装置。
【発明の詳細な説明】
【技術分野】
【０００１】
本発明は、間欠的に記録動作を行い、それに伴って学習処理動作を行う光ディスク装置に係り、特に、記録開始時の不要な動作を停止させる事により、消費電力を低減する技術に関するものである。
【背景技術】
【０００２】
近年、大容量の光ディスクを記録媒体とする記録再生装置が実施されおり、代表的な例として、ビデオカメラやビデオレコーダ等が存在する。これらビデオカメラ等に使用される光ディスク装置においては、消費電力の低減が重要な課題となっている。特にビデオカメラのような携帯装置は主にバッテリーで駆動される事が多く、長時間使用を可能とするためには消費電力を低減させる事は重要な課題である。
【０００３】
そこで、上記消費電力低減の課題に対しての従来技術では、光ディスクへの記録または再生時には間欠的に動作を行うことにより、消費電力の低減を図る方法が提案されている。つまり、光ディスクへの記録レートが映像音声の符号化レートよりも十分に速いことを利用し、映像音声データを一時的に記憶することができるバッファメモリを設け、第１の所定容量までバッファメモリにデータが蓄積されるまでは光ディスク装置の記録動作を停止して待機状態とし、バッファメモリのデータ量が第１の所定容量以上になったら稼動状態にして記録動作を開始してバッファメモリのデータを光ディスクに記録し、その後バッファメモリのデータ量が第２の所定容量以下になるとまた記録動作を停止して待機状態とすることにより、映像音声データを間欠的に光ディスクへ記録することができる。従って、光ディスクへの記録動作が停止している期間（以下、待機状態と呼ぶ）においては、例えばスピンドルモータ及びスピンドルモータ制御回路、光ヘッド部及び光ヘッド制御回路等の動作を停止する等の方法を用いる事により、光ディスク装置の電力低減を図ることができる。尚ここで、上記待機状態に対して、光ディスクへの記録動作を実行している期間を稼動状態と呼んでいる。
【０００４】
一方、光ディスク装置は、温度のばらつきや光ディスクの状態等による影響を受けやすく、記録再生における適正な制御を実現する事は容易ではない。特に、光ディスクに記録を行うレーザの出力パワーは温度変化による影響を受けやすい。従って、記録に先立ち光ディスク上の特定領域にレーザ光の出力条件を変えつつ記録と再生を行い、再生信号のデータエラー率が適正となる条件を見い出すといった、所謂学習処理動作を行う事が従来より提案されている。
【０００５】
また、上記間欠動作に伴って学習処理動作を行う場合の従来技術については、ユーザから記録開始の要求があった場合に、間欠動作を開始すると同時に学習処理動作を行う事が提案されている。つまり、学習処理には５〜１０秒程度の時間を要する為、間欠動作を開始すると同時に学習処理動作を行う事により、バッファメモリのデータ量が第１の所定容量になるまでの光ディスクに記録を開始する前に学習処理動作を終了させる事ができるとしている。例えば、光ディスク装置が電源オン時の間欠動作を実行していない状態（以下、停止状態と呼ぶ）から、ユーザの記録開始要求により間欠動作に遷移する場合には、直ちに光ディスク装置内の例えばスピンドルモータ及びスピンドルモータ制御回路、光ヘッド部及び光ヘッド制御回路等を動作させる稼動状態とし学習処理動作を行うとしている。さらに、学習処理動作開始前には、温度センサ等を利用して温度変化を監視し、前回学習処理動作実行時と比較し、温度差が所定の値以上であったと判定した場合にのみ学習処理動作を実行する措置がとられ、学習処理動作の頻度を限定するようにしている。（例えば、特許文献１参照）
【特許文献１】特開２００２−７４６９４号公報
【発明の開示】
【発明が解決しようとする課題】
【０００６】
上記特許文献１記載の従来技術では、光ディスク装置が停止状態から間欠動作に遷移する場合において、前回学習処理動作した時点より温度変化が殆ど無く学習処理動作の必要が無い場合には学習処理動作を行わないとしているにも関わらず、間欠動作開始とともにスピンドルモータ及びスピンドルモータ制御回路、光ヘッド部及び光ヘッド制御回路等を動作させ稼動状態とし、学習処理動作要否の判定動作終了以降バッファメモリのデータ量が第１の所定容量になり記録動作を開始するまでの間、稼動状態のままであり、不要な電力を消費しているという問題があった。
【０００７】
また、前回学習処理動作した時点と比べ、温度変化が有り学習処理動作が実行された場合においても、間欠動作開始とともにスピンドルモータ及びスピンドルモータ制御回路、光ヘッド部及び光ヘッド制御回路等を動作させ稼動状態とし、学習処理動作要否の判定動作に続き学習処理動作終了後もバッファメモリのデータ量が第１の所定容量になり記録動作を開始するまでの間、稼動状態が続いており、不要な電力を消費していた。ここで特に、ビデオカメラのように１回の記録時間が短いものである場合、全記録時間の消費電力に比して、この間欠動作開始時の稼動状態による不要な電力消費の占める割合が非常に高く、問題である。
【０００８】
本発明の目的は、上記、記録開始時に停止状態から間欠動作に遷移する場合において、学習処理動作が必要ないと判定された場合には学習処理動作要否判定動作終了後即座に待機状態とし、学習処理動作が必要と判定された場合には学習処理動作の終了後に、待機状態とする事により、さらなる消費電力の低減を可能とする光ディスク装置を提供することである。
【課題を解決するための手段】
【０００９】
上記課題を解決するために、本発明では以下の手段を講じた。
【００１０】
第１の発明は、スピンドルモータ及びまたは光ヘッド部を駆動及び制御するための駆動制御手段と、該駆動制御手段を間欠的に動作させ光ディスクへの記録を実行する間欠動作機能と、任意の状態における該駆動制御手段の所定の制御値を得るための学習処理動作の実行要否判定及び該判定結果により学習処理動作を行う学習処理機能と、を有し、所定の操作により記録開始され間欠動作に遷移する際に、該駆動制御手段を動作させて稼動状態として学習処理動作の実行要否を判定し、学習処理動作が必要ないと判定された場合は、該学習処理動作の実行要否を判定する動作終了後、該駆動制御手段の動作を止める待機状態へ遷移することを特徴とした。これにより、間欠動作開始時の学習処理動作が不要であった場合において、学習処理動作の実行要否判定後は稼動状態から待機状態になるので、不要な稼動状態による電力消費を低減できる。
【００１１】
第２の発明は、スピンドルモータ及びまたは光ヘッド部を駆動及び制御するための駆動制御手段と、該駆動制御手段を間欠的に動作させ光ディスクへの記録を実行する間欠動作機能と、任意の状態における該駆動制御手段の所定の制御値を得るための学習処理動作の実行要否判定及び該判定結果により学習処理動作を行う学習処理機能と、を有し、所定の操作により記録開始され間欠動作に遷移する際に、該駆動制御手段を動作させて稼動状態として学習処理動作の実行要否を判定し、学習処理動作が必要あると判定された場合は、学習処理動作終了後該駆動制御手段の動作を止める待機状態へ遷移することを特徴とした。これにより、間欠動作開始時の学習処理動作が必要であった場合においても、学習処理動作の実行要否判定及び学習処理動作終了後は稼動状態から待機状態になるので、不要な稼動状態による電力消費を低減できる。
【００１２】
第３の発明は、記録すべき信号を蓄積する記録待機メモリ手段と、該記録待機メモリ手段から取り出した信号を光ディスクに記録するための信号処理手段と、スピンドルモータ及びまたは光ヘッド部を駆動及び制御するための駆動制御手段と、該駆動制御手段を間欠的に動作させ光ディスクへの記録を実行する間欠動作機能と、任意の状態における該駆動制御手段の所定の制御値を得るための学習処理動作の実行要否判定及び該判定結果により学習処理動作を行う学習処理機能と、を有し、所定の操作により記録開始され間欠動作に遷移する際に、該駆動制御手段を動作させて稼動状態として学習処理動作の実行要否を判定し、学習処理動作が必要ないと判定された場合は、該学習処理動作の実行要否を判定する動作の終了時点までに該待機メモリ手段に蓄積された記録すべき信号を該光ディスクへ記録した後、該駆動制御手段の動作を止める待機状態へ遷移することを特徴とした。これにより、間欠動作開始時の学習処理動作が不要であった場合において、学習処理動作の実行要否を判定する動作の終了時点までに待機メモリ手段に蓄積された記録すべき信号を光ディスクへ記録して待機メモリ手段のデータ容量を少なくしてから稼動状態から待機状態になるので、不要な稼動状態がなくなるとともに次回の記録動作までの時間が長くなり、不要な稼動状態による電力消費を低減できる。
【００１３】
第４の発明は、記録すべき信号を蓄積する記録待機メモリ手段と、該記録待機メモリ手段から取り出した信号を光ディスクに記録するための信号処理手段と、スピンドルモータ及びまたは光ヘッド部を駆動及び制御するための駆動制御手段と、該駆動制御手段を間欠的に動作させ光ディスクへの記録を実行する間欠動作機能と、任意の状態における該駆動制御手段の所定の制御値を得るための学習処理動作の実行要否判定及び該判定結果により学習処理動作を行う学習処理機能と、を有し、所定の操作により記録開始され間欠動作に遷移する際に、直ちに該駆動制御手段を動作させて稼動状態として学習処理動作の実行要否を判定し、学習処理動作が必要あると判定された場合は、学習処理動作終了時点までに該待機メモリ手段に蓄積された記録すべき信号を該光ディスクへ記録した後、該駆動制御手段の動作を止める待機状態へ遷移することを特徴とした。これにより、間欠動作開始時の学習処理動作が必要であった場合において、学習処理動作終了時点までに待機メモリ手段に蓄積された記録すべき信号を光ディスクへ記録して待機メモリ手段のデータ容量を少なくしてから稼動状態から待機状態になるので、不要な稼動状態がなくなるとともに次回の記録動作までの時間が長くなり、不要な稼動状態による電力消費を低減できる。
【００１４】
第５の発明は、スピンドルモータ及びまたは光ヘッド部を駆動及び制御するための駆動制御手段と、該駆動制御手段を間欠的に動作させ光ディスクへの記録を実行する間欠動作機能と、温度変化の状態における該駆動制御手段の所定の制御値を得るための学習処理動作の実行要否判定及び該判定結果により学習処理動作を行う学習処理機能と、を有し、所定の操作により記録開始され間欠動作に遷移する際に、該駆動制御手段の動作を止めた待機状態にて温度変化の情報により学習処理動作の実行要否を判定し、学習処理動作が必要ないと判定された場合には、該待機状態を維持することを特徴とした。これにより、温度変化による学習処理動作が不要な場合において、間欠動作開始時の稼動状態を無くし、待機状態を保持することにより、さらに電力消費を低減できる。
【００１５】
第６の発明は、スピンドルモータ及びまたは光ヘッド部を駆動及び制御するための駆動制御手段と、該駆動制御手段を間欠的に動作させ光ディスクへの記録を実行する間欠動作機能と、温度変化の状態における該駆動制御手段の所定の制御値を得るための学習処理動作の実行要否判定及び該判定結果により学習処理動作を行う学習処理機能と、を有し、所定の操作により記録開始され間欠動作に遷移する際に、該駆動制御手段の動作を止めた待機状態にて温度変化の情報により学習処理動作の実行要否を判定し、学習処理動作が必要あると判定された場合には、該駆動制御手段を動作させる稼動状態とし、学習処理動作終了後該駆動制御手段の動作を止める待機状態へ遷移することを特徴とした。これにより、温度変化による学習処理動作が必要な場合において、学習処理動作の実行要否判定動作のための稼動状態が不要となり、不要な稼動状態を最小限にし、電力消費をさらに低減できる。
【００１６】
以上により、本発明によれば、記録開始時に停止状態から間欠動作に遷移する場合において、学習処理動作が必要ないと判定された場合には学習処理動作要否判定動作終了後待機状態とし、学習処理動作が必要と判定された場合には学習処理動作の終了後に、待機状態とする事により、さらなる消費電力の低減を実現する事ができる。
【発明の効果】
【００１７】
本発明により、消費電力を低減でき、使い勝手を向上させた光ディスク装置を提供できる。
【発明を実施するための最良の形態】
【００１８】
以下、本発明の実施の形態を、図面を用いて説明する。
【実施例１】
【００１９】
図１は本発明の光ディスク装置を適用したビデオカメラの一実施形態の構成を示すブロック図である。１は光ディスク、２はスピンドルモータ、３はスピンドルモータ制御回路、４は光ヘッド部、５は光ヘッド制御回路、６は温度センサ、７はドライブコントローラ、８はメモリ、９は信号処理手段、１０はパケットインターフェイス（ＩＦ）回路、１１はバッファメモリ、１２はシステムコントローラ、１３は記録釦、１４は圧縮伸張回路、１５はマイク、１６は撮像回路である。ここで、１〜９までを光ディスク装置１７、１０〜１６までを信号記録再生装置１８と呼ぶ。
【００２０】
スピンドルモータ２は、スピンドルモータ制御回路３により、光ディスク１を所定の回転速度で回転するように制御される。光ヘッド部４は光ヘッド制御回路５により、フォーカス方向及びトラッキング方向に移動可能な構造となっている。信号処理手段９は、光ディスク１に記録するデジタルデータを光ディスク１の特性に適した記録データに変換し、光ヘッド部４を経由して光ディスク１に記録を行う構成となっている。
【００２１】
一方、圧縮伸張回路１４は、記録時には撮像回路１６で撮像された被写体の映像信号およびマイク１５で集音された音声信号を信号の冗長性や人間の視覚聴覚の特性を利用することによりデータ圧縮を行って光ディスク１に格納するデータ量を縮減し、再生時には圧縮されているデジタルデータを伸張して元の映像および音声信号に戻す処理を行う。
【００２２】
次に、バッファメモリ１１を用いた間欠動作及び学習処理動作について説明する。電源をオンしただけの停止状態では、スピンドルモータ２、スピンドルモータ制御回路３、光ヘッド部４、光ヘッド制御回路５は動作しておらず、低消費電力状態となっている。ここで、システムコントローラ１２は、接続されている記録釦１３が押されると、パケットＩＦ回路１０を経由してドライブコントローラ７に対して起動命令の発行を行う。ドライブコントローラ７は、システムコントローラ１２から発行された起動命令を受信すると、即座に、スピンドルモータ制御回路３と光ヘッド制御回路５を動かしスピンドルモータ２と光ヘッド部４を制御して光ディスク装置１７を稼動状態へと遷移させ、光ヘッド部４からのレーザ発光により光ディスク１盤面の状態（汚れ等）及び温度センサ６により現在の温度を取得する。さらに、ドライブコントローラ７は、取得された光ディスク１の状態が学習処理動作を必要とする状態であるかどうか、及び、取得された現在の温度とメモリ８に保存された過去の記録に関わる学習処理動作終了時点の温度とが、学習処理動作を必要とする温度差であるかどうかの学習処理動作要否判定動作を行う。ドライブコントローラ７は、学習処理動作の必要がないと判定した場合には、判定動作終了後即座にスピンドルモータ制御回路３と光ヘッド制御回路５及びスピンドルモータ２と光ヘッド部４の動作を止めて、光ディスク装置１７を待機状態へ遷移させ消費電力の低減を図る。また、ドライブコントローラ７は、上記学習処理動作要否判定動作により学習処理動作の必要があると判定した場合には、稼動状態を継続し、学習処理動作を実行後、スピンドルモータ制御回路３と光ヘッド制御回路５及びスピンドルモータ２と光ヘッド部４の動作を止めて、待機状態へ遷移させ消費電力の低減を図る。ここで、停止状態と待機状態では、スピンドルモータ制御回路３と光ヘッド制御回路５及びスピンドルモータ２と光ヘッド部４の動作を止めた状態であり同じであるが、本実施例では記録時の間欠動作中の場合を待機状態と呼んでいる。
【００２３】
一方、記録釦１３が押されると、システムコントローラ１２は上記したようにドライブコントローラ７へ起動命令の発行を行い学習処理動作要否判定動作等上記した一連の動作後光ディスク装置１７を待機状態に遷移させるため動作を行うと同時に、撮像回路１６で撮像された映像信号、およびマイク１５で集音された音声信号を圧縮伸張回路１４に入力し、圧縮伸張回路１４で圧縮されたデジタルデータを、バッファメモリメモリ１１に蓄積していく。その後、システムコントローラ１２は、バッファメモリ１１のデジタルデータ蓄積量が予め設定してある所定値１を上回ると、バッファメモリ１１内のデジタルデータを順次取り出しパケットＩＦ回路１０を経由して、光ディスク装置１７に送り込むとともに、ドライブコントローラ７に対してパケットＩＦ回路１０を経由して、再び稼動状態へ遷移させる命令を発行し、光ディスク装置１７を待機状態から稼動状態にして、パケットＩＦ回路１０から入力されたデジタルデータを信号処理手段９を経由して記録データに変換し光ディスク１に記録する記録動作を行う。その後、バッファメモリ１１のデジタルデータ蓄積量が予め設定してある所定値２を下回ると、デジタルデータの送信を終了すると共に、パケットＩＦ回路１０を経由して、ドライブコントローラ７に対して待機状態へ遷移させる命令を発行し、光ディスク装置１７を待機状態にする。以降、バッファメモリ１１のデジタルデータ蓄積量が所定値１を上回ると稼動状態とし記録データを記録する記録動作を行い、記録動作により所定値２を下回ると待機状態とするように間欠動作を行う。以上の間欠動作は、ユーザが記録釦１３を再度押すまで繰り返される。
【００２４】
ここで、光ディスク装置１７を稼動状態から待機状態へ、または待機状態から稼動状態へと遷移させる過程において、スピンドルモータ２による光ディスク１の回転による音がマイク１５にて集音される問題が発生することがある。それを回避する為、待機状態においてスピンドルモータ制御回路３のみ動作させスピンドルモータ２を回転状態にするようにしても構わない。このようにすることで、稼動状態への遷移時スピンドルモータ２のたち上がり時間が短くなるので、所定値１の値を大きくできデータ蓄積の時間が長くなり、結果として間欠駆動している間の待機状態の割合が高くなりさらなる電力低減効果もある。
【００２５】
このように、学習処理動作が不要な場合には学習処理動作要否判定動作終了後即座にスピンドルモータ制御回路３と光ヘッド制御回路５及びスピンドルモータ２と光ヘッド部４の動作を、または学習処理が必要な場合には学習処理動作後にスピンドルモータ制御回路３と光ヘッド制御回路５及びスピンドルモータ２と光ヘッド部４の動作を止めるようにしている。その為、バッファメモリ１１のデジタルデータ蓄積量が所定値１を上回るまでの間は待機状態となっているので、不要な電力を消費することが防止でき、さらなる消費電力の低減が可能となる。
【００２６】
次に図２、図３を用いて、ユーザからの記録開始要求により停止状態から間欠動作に遷移する際のドライブコントローラ７の動作詳細について詳しく説明する。図２は本発明によるドライブコントローラ７の動作のタイミングチャートであり、図２（ａ）は学習処理動作が不要なときのドライブコントローラ７の動作のタイミングチャート、図２（ｂ）は学習処理動作が必要なときのドライブコントローラ７の動作のタイミングチャート、図２（ｃ）はバッファメモリ１１のデジタルデータ蓄積量の変化を示す。
【００２７】
まず、学習処理が不要なときのドライブコントローラ７の動作について、図２（ａ）、（ｃ）を用いて説明する。停止状態にあるときに、ユーザが記録釦１３を押すと記録開始要求となり、スピンドルモータ２と光ヘッド部４を制御するためスピンドルモータ制御回路３と光ヘッド制御回路５を起動し稼動状態とし、学習処理動作要否判定動作を行う。光ヘッド部４からのレーザ発光による光ディスク１盤面の状態及び温度センサ６による現在温度の取得を行い、光ディスク１の状態が学習処理動作を必要とする状態であるかどうか、または、取得された現在の温度とメモリ８に保存された過去の記録に関わる学習処理動作終了時点の温度とが学習処理動作を必要とする温度差であるかどうかの判定をする。ここでは、学習処理動作が不要なので、学習処理動作要否判定動作終了後即座にスピンドルモータ制御回路３と光ヘッド制御回路５及びスピンドルモータ２と光ヘッド部４を停止し、待機状態とする。一方、記録開始要求直後からバッファメモリ１１に蓄積していったデジタルデータ蓄積量が増えて、図２（ｃ）に示すように所定値１を上回るとスピンドルモータ２と光ヘッド部４を制御するためにスピンドルモータ制御回路３と光ヘッド制御回路５を起動し稼動状態にし、バッファメモリ１１内のデジタルデータを順次取り出し光ディスク１へ記録データとして記録する記録動作を行う。ここで、蓄積するデータ量に比べて取り出すデータ量の方が大きいため、バッファメモリ１１内のデータ量は減っていき、図２（ｃ）に示すように所定値２を下回ると、スピンドルモータ制御回路３と光ヘッド制御回路５及びスピンドルモータ２と光ヘッド部４を停止し、待機状態とする。待機状態となるとバッファメモリ１１からデータを取り出さないので、データが蓄積されていき所定値１を上回ると再度稼動状態にして、記録動作を再開する。以降繰り返し間欠動作を行う。
【００２８】
次に、学習処理動作が必要なときのドライブコントローラ７の動作について、図２（ｂ）、（ｃ）を用いて説明する。停止状態にあるときに、ユーザが記録釦１３を押すと記録開始要求となり、スピンドルモータ２と光ヘッド部４を制御するためにスピンドルモータ制御回路３と光ヘッド制御回路５を起動し稼動状態とし、学習処理動作要否判定動作を行う。光ヘッド部４からのレーザ発光により光ディスク１盤面の状態及び温度センサ６による現在温度の取得を行い、光ディスク１の状態が学習処理動作を必要とする状態であるかどうか、または、取得された現在の温度とメモリ８に保存された過去の記録に関わる学習処理動作終了時点の温度とが学習処理動作を必要とする温度差であるかどうかの判定をする。ここでは、学習処理動作が必要なので、稼動状態を継続し学習処理動作を行う。その後学習処理動作が終了すると、スピンドルモータ制御回路３と光ヘッド制御回路５及びスピンドルモータ２と光ヘッド部４を停止し、待機状態とする。その後、バッファメモリ１１のデジタルデータ蓄積量が増えて、図２（ｃ）に示すように所定値１を上回るとスピンドルモータ２と光ヘッド部４を制御するためにスピンドルモータ制御回路３と光ヘッド制御回路５を起動し稼動状態にし、バッファメモリ１１内のデジタルデータを順次取り出し光ディスク１へ記録データとして記録する記録動作を行う。以降は、上記学習処理動作が不要なときのドライブコントローラ７の動作と同様に待機状態、稼動状態を繰り返し、間欠動作を行う。
【００２９】
このように、学習処理動作が不要な場合には学習処理動作要否判定動作終了後即座にスピンドルモータ制御回路３と光ヘッド制御回路５及びスピンドルモータ２と光ヘッド部４を、または学習処理が必要な場合には学習処理動作終了後にスピンドルモータ制御回路３と光ヘッド制御回路５及びスピンドルモータ２と光ヘッド部４を止めるようにしている。その為、バッファメモリ１１のデジタルデータ蓄積量が所定値１を上回るまでの間は待機状態となっているので、不要な電力を消費することが防止でき、さらなる消費電力の低減が可能となる。
【００３０】
次に、記録開始時の処理の流れを図３を用いて説明する。図３は本発明による間欠動作のフローチャートである。まず、停止状態では、スピンドルモータ制御回路３、光ヘッド制御回路５及びスピンドルモータ２と光ヘッド部４の動作を停止している。ステップ３０１でユーザによる記録開始要求が入力されると、ステップ３０２でシステムコントロール１２からの起動命令が発行され間欠動作に入り、ドライブコントローラ７は、光ディスク装置１７を稼動状態とする。この後、ステップ３０３で学習処理動作要否判定動作としてドライブコントローラ７は光ヘッド部４からのレーザ発光により光ディスク１盤面の状態及び温度センサ６による現在温度の取得を行い、光ディスク１の状態が学習処理動作を必要とする状態であるかどうか、または、取得された現在の温度とメモリ８に保存された過去の記録に関わる学習処理動作終了時点の温度とが、学習処理動作を必要とする温度差であるかどうかの判定をする。結果、学習処理動作が必要ないと判断された場合は、ステップ３０５で光ディスク装置１７を学習処理動作要否判定動作後即座に待機状態とする。ステップ３０３で学習処理が必要と判断された場合は、稼動状態を継続しステップ３０４で学習処理動作を行い、学習処理動作終了後に、ステップ３０５に進み、光ディスク装置１７を待機状態とする。
【００３１】
このように、学習処理動作が不要な場合には学習処理動作要否判定動作終了後即座に待機状態にし、学習処理が必要な場合には学習処理動作終了後に待機状態にするようにしている。その為、バッファメモリ１１のデジタルデータ蓄積量が所定値１を上回るまでの間は待機状態となっているので、不要な電力を消費することが防止でき、さらなる消費電力の低減が可能となる。
【００３２】
一方、ステップ３０１の記録開始要求からステップ３０５までの間、バッファメモリ１１にはデジタルデータが蓄積されており、ステップ３０６でそのデジタルデータ蓄積量が所定値１を上回ったかどうかを判定し、上回った場合にはステップ３０７で光ディスク装置１７を稼動状態とし、光ディスク１への記録動作を行う。ステップ３０６で所定値１を上回っていない場合にはステップ３０５に戻り、デジタルデータの蓄積を待つ。ステップ３０７で記録動作を開始すると、バッファメモリ１１内のデータ量は減っていきステップ３０８でバッファメモリ１１内のデジタルデータ蓄積量が所定値２より少なくなったかの判定を行う。所定量２より少なくなった場合にはステップ３０５に戻り待機状態とする。ステップ３０８で所定量２よりも多い場合はステップ３０７に戻って記録を継続する。以降、同様に待機状態、稼動状態を繰り返し、間欠動作を行う。また、間欠動作中に記録釦１３が押された場合には、稼動状態にしてバッファメモリ１１に蓄積されているデジタルデータを光ディスク１に記録後、停止状態に戻る。
【００３３】
以上、本実施の形態では撮像回路による映像信号の記録再生について説明したが、本発明はこれに限定されず、例えば撮像回路を電波信号の受信回路等に置き換えることでビデオレコーダ等の他記録再生装置へ展開できる。
【実施例２】
【００３４】
次に実施例２について説明する。実施例２における光ディスク装置１７及び信号記録再生装置１８は実施例１と同様の構成であり、その間欠動作による記録方法も実施例１と同様である。
【００３５】
図４を用いて、ユーザからの記録開始要求により光ディスク装置１７が停止状態から間欠動作に遷移する際のドライブコントローラ７の動作詳細について詳しく説明する。図４は本発明によるドライブコントローラ７の動作の第２の実施例のタイミングチャートであり、図４（ａ）は学習処理動作が不要なときのドライブコントローラ７の動作のタイミングチャート、図４（ｂ）は図４（ａ）の場合におけるバッファメモリ１１のデジタルデータ蓄積量の変化、図４（ｃ）は学習処理動作が必要なときのドライブコントローラ７の動作のタイミングチャート、図４（ｄ）は図４（ｃ）の場合におけるバッファメモリ１１のデジタルデータ蓄積量の変化を示す。
【００３６】
まず、学習処理動作が不要なときのドライブコントローラ７の動作について、図４（ａ）、（ｂ）を用いて説明する。停止状態にあるときに、ユーザが記録釦１３を押すと記録開始要求となり、スピンドルモータ２と光ヘッド部４を制御するためにスピンドルモータ制御回路３と光ヘッド制御回路５を起動し稼動状態とし、学習処理動作要否判定動作を行う。光ヘッド部４からのレーザ発光により光ディスク１盤面の状態及び温度センサ６による現在温度の取得を行い、光ディスク１の状態が学習処理動作を必要とする状態であるかどうか、または、取得された現在の温度とメモリ８に保存された過去の記録に関わる学習処理動作終了時点の温度とが、学習処理動作を必要とする温度差であるかどうかの判定をする。ここでは、学習処理動作が不要なので、学習処理動作要否判定動作終了後も稼動状態を継続し、この時点までに蓄積されたバッファメモリ１１内のデジタルデータを順次取り出し光ディスク１へ記録データとして記録する記録動作を行う。ここで、蓄積するデータ量に比べて取り出すデータ量の方が大きいため、バッファメモリ１１内のデータ量は減っていき、図４（ｂ）に示すように所定値２を下回ると、スピンドルモータ制御回路３と光ヘッド制御回路５及びスピンドルモータ２と光ヘッド部４を停止し、待機状態とする。以降、実施例1と同様の繰り返し間欠操作を行う。
【００３７】
次に、学習処理が必要なときのドライブコントローラ７の動作について、図４（ｃ）、（ｄ）を用いて説明する。停止状態にあるときに、ユーザが記録釦１３を押すと記録開始要求となり、スピンドルモータ２と光ヘッド部４を制御するためにスピンドルモータ制御回路３と光ヘッド制御回路５を起動し稼動状態とし、学習処理動作要否判定動作を行う。光ヘッド部４からのレーザ発光により光ディスク１盤面の状態及び温度センサ６による現在温度の取得を行い、光ディスク１の状態が学習処理動作を必要とする状態であるかどうか、または、取得された現在の温度とメモリ８に保存された過去の記録に関わる学習処理動作終了時点の温度とが、学習処理動作を必要とする温度差であるかどうかの判定をする。ここでは、学習処理動作が必要なので、稼動状態を継続し学習処理動作を行う。その後学習処理動作が終了次第、この時点までに蓄積されたバッファメモリ１１内のデジタルデータを順次取り出し光ディスク１へ記録データとして記録する。ここで、蓄積するデータ量に比べて取り出すデータ量の方が大きいため、バッファメモリ１１内のデータ量は減っていき、図４（ｄ）に示すように所定値２を下回ると、スピンドルモータ制御回路３と光ヘッド制御回路５及びスピンドルモータ２と光ヘッド部４を停止し、待機状態とする。以降、実施例1と同様の繰り返し間欠操作を行う。
【００３８】
このように、学習処理動作が不要な場合には、学習処理動作要否判定動作終了時点までに蓄積されたバッファメモリ１１内のデジタルデータを順次取り出し光ディスク１へ記録データとして記録した後にスピンドルモータ制御回路３と光ヘッド制御回路５及びスピンドルモータ２と光ヘッド部４を止めるようにしている。また、学習処理が必要な場合には学習処理動作終了後、その時点までに蓄積されたバッファメモリ１１内のデジタルデータを順次取り出し光ディスク１へ記録データとして記録した後にスピンドルモータ制御回路３と光ヘッド制御回路５及びスピンドルモータ２と光ヘッド部４を止めるようにしている。その為、不要な稼動状態がなくなるとともに次にバッファメモリ１１のデジタルデータ蓄積量が所定値を上回るまでの間は待機状態が長くなっているので、不要な電力を消費することが防止でき、さらなる消費電力の低減が可能となる。
【００３９】
以上、本実施の形態では撮像回路による映像信号の記録再生について説明したが、本発明はこれに限定されず、例えば撮像回路を電波信号の受信回路等に置き換えることでビデオレコーダ等の他記録再生装置へ展開できる。
【実施例３】
【００４０】
次に実施例３について説明する。実施例３における光ディスク装置１７及び信号記録再生装置１８は実施例１と同様の構成であり、その間欠動作による記録方法も実施例１と同様である。ただし、本実施例の場合は、学習処理実行要否判定において、光ディスク１の状態の情報を使用した学習処理実行要否判定は行わず、温度変化のみの情報を使用して学習処理実行要否判定を行う例である。
【００４１】
図５を用いて、ユーザからの記録開始要求により光ディスク装置１７が停止状態から間欠動作に遷移する際のドライブコントローラ７の動作詳細について詳しく説明する。図５は本発明によるドライブコントローラ７の動作の第３の実施例のタイミングチャートであり、図５（ａ）は学習処理動作が不要なときのドライブコントローラ７の動作のタイミングチャート、図５（ｂ）は学習処理動作が必要なときのドライブコントローラ７の動作のタイミングチャート、図５（ｃ）はバッファメモリ１１のデジタルデータ蓄積量の変化を示す。
【００４２】
まず、学習処理動作が不要なときのドライブコントローラ７の動作について、図５（ａ）、（ｃ）を用いて説明する。停止状態にあるときに、ユーザが記録釦１３を押すと記録開始要求となり、間欠動作に遷移し待機状態とすると同時に温度センサ６からの現在の温度とメモリ８内の過去の記録に関わる学習処理動作終了時点の温度とを比較し学習処理動作が必要かどうかの学習処理動作要否判定動作を行う。またここでは、学習処理動作が不要なので、スピンドルモータ制御回路３と光ヘッド制御回路５及びスピンドルモータ２と光ヘッド部４は停止したまま待機状態となっている。一方、記録開始要求直後からバッファメモリ１１に蓄積していったデジタルデータ蓄積量が増えて、図５（ｃ）に示すように所定値１を上回るとスピンドルモータ２と光ヘッド部４を制御するためにスピンドルモータ制御回路３と光ヘッド制御回路５を起動し稼動状態にし、バッファメモリ１１内のデジタルデータを順次取り出し光ディスク１へ記録データとして記録する記録動作を行う。ここで、蓄積するデータ量に比べて取り出すデータ量の方が大きいため、バッファメモリ１１内のデータ量は減っていき、図５（ｃ）に示すように所定値２を下回ると、スピンドルモータ制御回路３と光ヘッド制御回路５及びスピンドルモータ２と光ヘッド部４を停止し、待機状態とする。以降、実施例1と同様の繰り返し間欠操作を行う。
【００４３】
次に、学習処理動作が必要なときのドライブコントローラ７の動作について、図５（ｂ）、（ｃ）を用いて説明する。停止状態にあるときに、ユーザが記録釦１３を押すと記録開始要求となり、間欠動作に遷移し待機状態とすると同時に温度センサ６からの現在の温度とメモリ８内の過去の記録に関わる学習処理動作終了時点の温度とを比較し学習処理動作が必要かどうかの学習処理動作要否判定動作を行う。ここでは、学習処理動作が必要なので、学習処理動作要否判定動作終了後にスピンドルモータ２と光ヘッド部４を制御するためにスピンドルモータ制御回路３と光ヘッド制御回路５を起動して稼動状態にして学習処理動作を行う。その後学習処理動作が終了すると、スピンドルモータ制御回路３と光ヘッド制御回路５及びスピンドルモータ２と光ヘッド部４を停止し、待機状態とする。その後、バッファメモリ１１のデジタルデータ蓄積量が増えて、図５（ｃ）に示すように所定値１を上回るとスピンドルモータ２と光ヘッド部４を制御するためにスピンドルモータ制御回路３と光ヘッド制御回路５を起動し稼動状態にし、バッファメモリ１１内のデジタルデータを順次取り出し光ディスク１へ記録データとして記録する。以降、実施例1と同様の繰り返し間欠操作を行う。
【００４４】
このように、学習処理動作が不要な場合には停止状態から待機状態として低消費電力状態を保持し、また学習処理動作が必要な場合には待機状態での学習処理動作要否判定動作後即座にスピンドルモータ２と光ヘッド部４を制御するためにスピンドルモータ制御回路３と光ヘッド制御回路５を起動して稼動状態とし学習処理動作を行い、学習処理動作後にスピンドルモータ制御回路３と光ヘッド制御回路５及びスピンドルモータ２と光ヘッド部４を止めるようにしている。その為、学習処理動作要否判定動作のための稼動状態が不要となるとともに、バッファメモリ１１のデジタルデータ蓄積量が所定値１を上回るまでの間は待機状態となっているので、不要な電力を消費することが防止でき、さらなる消費電力の低減が可能となる。
【００４５】
以上の実施例は、光ディスク装置を適用例として説明したが、光ディスク装置以外であって、間欠動作を行い、温度などの環境により、駆動制御手段の制御値を取得する必要がある装置にも適用できる。
【産業上の利用可能性】
【００４６】
本発明は、間欠動作を行う光ディスク装置に関わるものであるが、他の記録再生装置、例えば、ビデオレコーダ等にも適用することが出来る。
【図面の簡単な説明】
【００４７】
【図１】本発明の光ディスク装置を適用したビデオカメラの一実施形態の構成を示すブロック図である。
【図２】実施例１によるドライブコントローラ７の動作のタイミングチャートである。
【図３】実施例１による間欠動作のフローチャートである。
【図４】実施例２によるドライブコントローラ７の動作のタイミングチャートである。
【図５】実施例３によるドライブコントローラ７の動作のタイミングチャートである。
【符号の説明】
【００４８】
１…光ディスク、２…スピンドルモータ、３…スピンドルモータ制御回路、
４…光ヘッド部、５…光ヘッド制御回路、６…温度センサ、７…ドライブコントローラ、
８…メモリ、９…信号処理手段、１０…パケットインターフェイス（ＩＦ）回路、
１１…バッファメモリ、１２…システムコントローラ、１３…記録釦、
１４…圧縮伸張回路、１５…マイク、１６…撮像回路、１７…光ディスク装置、
１８…信号記録再生装置
【図１】
2006179137.tif 000003
【図２】
2006179137.tif 000004
【図３】
2006179137.tif 000005
【図４】
2006179137.tif 000006
【図５】
2006179137.tif 000007